(57)【要約】【課題】各種電子機器に使用される開閉装置に関し、簡易な構成で、開閉操作の確実なものを提供することを目的とする。【解決手段】固定体１や可動体３等を収納した略円筒状のケース１５の外周に、複数の平坦部１５Ｂを設けることによって、平らで面積の大きな平坦部１５Ｂを可動筐体２３の取付孔２３Ｅ内周の係止部２３Ｆに当接させて、開閉装置を可動筐体２３に装着できるため、可動筐体２３を所定角度まで開いた後、さらに開く方向への力が加わった場合にも、構成部品の破損を防ぎ、簡易な構成で、確実な開閉操作が可能な開閉装置を得ることができる。【選択図】図１
2006292062.tif 000002
【特許請求の範囲】
【請求項１】
側面に固定カムが設けられた固定体と、この固定体に対し回転可能に配置されると共に、上記固定カムとの対向面に可動カムが設けられた可動体と、この可動カムと上記固定カムを弾接させるばねと、これらを収納した略円筒状のケースからなり、上記ケースの外周に複数の平坦部を設けた開閉装置。
【発明の詳細な説明】
【技術分野】
【０００１】
本発明は、携帯電話やパーソナルコンピュータ等の、各種電子機器に使用される開閉装置に関するものである。
【背景技術】
【０００２】
近年、携帯電話やパーソナルコンピュータ等の電子機器の小型化や軽量化が進む中、固定筐体に対し可動筐体が開閉可能に装着された、所謂、折畳み式のものが増えており、これらに用いられる開閉装置においても、開閉操作が確実でより使い易いものが求められている。
【０００３】
このような従来の開閉装置について、図４〜図７を用いて説明する。
【０００４】
なお、これらの図面の内、断面図は固定カムと可動カムの関係を判り易くするため、径方向を拡大して表わしている。
【０００５】
図５は従来の開閉装置の断面図、図６は同分解斜視図であり、同図において、１は左側面に固定部１Ａが形成された略円筒状で金属製の固定体で、この右側面外周には突出部２Ａ、及びこの突出部２Ａから左右へ延出する二つの傾斜部２Ｂ、２Ｃから形成された固定カム２が設けられている。
【０００６】
そして、３は同じく略円筒状で金属製の可動体で、固定体１に対し開閉方向へ回転可能に配置されると共に、固定カム２との対向面である左側面外周には可動カム４が設けられている。
【０００７】
また、５は略円筒状で焼結合金製のケースで、ケース５には外方へ突出する略コの字状の保持部５Ａが設けられると共に、この保持部５Ａ内周に可動体３外周のガイド突起３Ａが挿入されて、ケース５内に収納された可動体３を軸線方向へ移動可能に保持している。
【０００８】
さらに、６は可動体３右側面とケース５右底面との間にやや撓んだ状態で装着されたコイル状のばねで、このばね６によって可動体３が左方向へ付勢され、可動カム４の先端が固定カム２の傾斜部２Ｂへ弾接している。
【０００９】
また、７は略円柱状の固定軸で、この固定軸７の左端部に固定体１が固着されると共に、右端部は可動体３の中空部やばね６を挿通し、止め輪８によってケース５右側面に回転可能に装着されている。
【００１０】
そして、ケース５左側面から固定体１の固定部１Ａが回転可能に突出し、この固定体１や可動体３、ばね６等がケース５内に収納されて、開閉装置１０が構成されている。
【００１１】
また、このように構成された開閉装置１０は、例えば、図４（ｂ）の携帯電話の斜視図に示すように、固定体１の固定部１Ａが上面に複数のキーからなる操作部２２Ａやマイクロフォン等の音声入力部２２Ｂが形成された固定筐体２２へ、ケース５が表面にＬＣＤ等の表示部２３Ａやスピーカ等の音声出力部２３Ｂが形成された可動筐体２３へ各々装着され、開閉装置１０によって固定筐体２２に対して可動筐体２３が開閉可能に軸支されて電子機器が構成される。
【００１２】
なお、この時、図７の部分断面図に示すように、可動筐体２３の略円筒状の取付部２３Ｃには、取付孔の上下に溝状の係止部２３Ｄが設けられ、この係止部２３Ｄにケース５外方へ突出する略コの字状の保持部５Ａが挿入されて、可動筐体２３を開閉操作した際に、係止部２３Ｄ内側面が保持部５Ａ外側面に当接し、ケース５が可動筐体２３と共に回転するように形成されている。
【００１３】
以上の構成において、図５に示したように、可動カム４の先端が固定カム２下側の傾斜部２Ｂへ弾接した状態では、可動体３がばね６によって下方向の閉方向へ付勢されているため、ケース５が装着された可動筐体２３は、図４（ａ）に示すように、固定筐体２２に対して閉じた状態で保持されている。
【００１４】
そして、この閉状態から、図４（ｂ）に示すように、可動筐体２３を手で開くと、係止部２３Ｄ内側面が保持部５Ａ外側面に当接してケース５が回転し、可動体３がケース５内を軸線方向へ移動しながら回転して、可動カム４先端が固定カム２の突出部２Ａを超えて上側の傾斜部２Ｃへ弾接し、可動体３が開方向へ付勢されるため、この力によって可動筐体２３に開く方向の力が加わり、図４（ｃ）に示すように、可動筐体２３が固定筐体２２に対して１５０〜１７０度前後の所定角度に開いた状態となる。
【００１５】
つまり、可動筐体２３に装着されたケース５を回転させることによって、可動体３を軸線方向へ移動させ、可動カム４先端を固定カム２の傾斜部２Ｂまたは２Ｃのいずれかへ弾接させて、固定筐体２２に対する可動筐体２３の開閉操作が行われるように構成されている。
【００１６】
なお、このように可動筐体２３を所定角度に開いた状態で、機器を落としたり裏側から誤って押される等、さらに可動筐体２３を開く極端な力が加わった場合、この衝撃や力によって、可動筐体２３の係止部２３Ｄや開閉装置１０の保持部５Ａに破損が生じ、その後の開閉操作に支障をきたすことがある。
【００１７】
従って、このような係止部２３Ｄや保持部５Ａの破損を防ぐためには、取付部２３Ｃを大きくし、係止部２３Ｄや保持部５Ａを充分な強度の得られる大きな形状としたり、固定筐体２２と可動筐体２３の間に別途ストッパ機構を設けたりする必要があるものであった。
【００１８】
なお、この出願の発明に関連する先行技術文献情報としては、例えば、特許文献１が知られている。
【特許文献１】特開２００４−２４５３４２号公報
【発明の開示】
【発明が解決しようとする課題】
【００１９】
しかしながら、上記従来の開閉装置においては、所定角度まで開いた後、さらに力が加わった場合の可動筐体２３や開閉装置１０の破損を防ぐためには、係止部２３Ｄや保持部５Ａ等を大きな形状としたり、固定筐体２２と可動筐体２３に別途ストッパ機構を設けたりする必要があり、開閉装置が大きなものとなったり、構成が複雑なものとなってしまうという課題があった。
【００２０】
本発明は、このような従来の課題を解決するものであり、簡易な構成で、確実な開閉操作が可能な開閉装置を提供することを目的とする。
【課題を解決するための手段】
【００２１】
上記目的を達成するために本発明は、固定体や可動体等を収納した略円筒状のケースの外周に、複数の平坦部を設けたものであり、平らで面積の大きな平坦部を可動筐体の取付孔内周に当接させて、開閉装置を可動筐体に装着できるため、可動筐体を所定角度まで開いた後、さらに開く方向への力が加わった場合にも、構成部品の破損を防ぎ、簡易な構成で、確実な開閉装置を得ることができるという作用を有する。
【発明の効果】
【００２２】
以上のように本発明によれば、簡易な構成で、確実な開閉操作が可能な開閉装置を実現することができるという有利な効果が得られる。
【発明を実施するための最良の形態】
【００２３】
以下、本発明の実施の形態について、図１〜図４を用いて説明する。
【００２４】
なお、これらの図面の内、断面図は固定カムと可動カムの関係を判り易くするため、径方向を拡大して表わしている。
【００２５】
また、背景技術の項で説明した構成と同一構成の部分には同一符号を付して、詳細な説明を簡略化する。
【００２６】
（実施の形態）
図１は本発明の一実施の形態による開閉装置の断面図、図２は同分解斜視図であり、同図において、１は左側面に固定部１Ａが形成された略円筒状で鋼や銅合金、焼結合金等の金属製の固定体で、この右側面外周には突出部２Ａ、及びこの突出部２Ａから左右へ延出する二つの傾斜部２Ｂ、２Ｃから形成された複数の固定カム２が対称に設けられている。
【００２７】
そして、３は同じく略円筒状で金属製の可動体で、固定体１に対し開閉方向へ回転可能に配置されると共に、固定カム２との対向面である左側面外周には複数の可動カム４が対称に設けられている。
【００２８】
また、１５は略円筒状で金属製のケースで、ケース１５には軸線方向へ延出した切欠部１５Ａが設けられると共に、この切欠部１５Ａ内に可動体３外周のガイド突起３Ａが挿入されて、ケース１５内に収納された可動体３を軸線方向へ移動可能に保持している。
【００２９】
さらに、ケース１５の外周右方には多角形状の複数の平坦部１５Ｂが、上下対称に設けられると共に、可動体３右側面とケース１５右底面との間には、コイル状のばね６がやや撓んだ状態で装着され、このばね６によって可動体３が左方向へ付勢され、可動カム４の先端が固定カム２の傾斜部２Ｂへ弾接している。
【００３０】
また、７は略円柱状の固定軸で、この固定軸７の左端部に固定体１が固着されると共に、右端部は可動体３の中空部やばね６を挿通し、止め輪８によってケース１５右側面に回転可能に装着されている。
【００３１】
そして、ケース１５左側面からは固定体１の固定部１Ａが回転可能に突出すると共に、この固定体１や可動体３、ばね６等がケース１５内に収納されて、開閉装置２０が構成されている。
【００３２】
また、このように構成された開閉装置２０は、例えば、図４（ｂ）の携帯電話の斜視図に示すように、固定体１の固定部１Ａが上面に複数のキーからなる操作部２２Ａやマイクロフォン等の音声入力部２２Ｂが形成された固定筐体２２へ、ケース１５が表面にＬＣＤ等の表示部２３Ａやスピーカ等の音声出力部２３Ｂが形成された可動筐体２３へ各々装着され、開閉装置２０によって固定筐体２２に対して可動筐体２３が開閉可能に軸支されて電子機器が構成される。
【００３３】
なお、この時、図３の部分断面図に示すように、可動筐体２３の略円筒状の取付部２３Ｃには、取付部２３Ｅと略くの字状の係止部２３Ｆが左右対称に設けられ、取付孔２３Ｅ内にケース１５が挿入されると共に、ケース１５外周右方の複数の平坦部１５Ｂが係止部２３Ｆに当接し、可動筐体２３を開閉操作した際に、ケース１５が可動筐体２３と共に回転するように形成されている。
【００３４】
以上の構成において、図１に示したように、可動カム４の先端が固定カム２下側の傾斜部２Ｂへ弾接した状態では、可動体３がばね６によって下方向の閉方向へ付勢されているため、ケース１５が装着された可動筐体２３は、図４（ａ）に示すように、固定筐体２２に対して閉じた状態で保持されている。
【００３５】
そして、この閉状態から、図４（ｂ）に示すように、可動筐体２３を手で開くと、係止部２３Ｆが平坦部１５Ｂに当接してケース１５が回転し、可動体３がケース１５内を軸線方向へ移動しながら回転して、可動カム４先端が固定カム２の突出部２Ａを超えて上側の傾斜部２Ｃへ弾接し、可動体３が開方向へ付勢されるため、この力によって可動筐体２３に開く方向の力が加わり、図４（ｃ）に示すように、可動筐体２３が固定筐体２２に対して１５０〜１７０度前後の所定角度に開いた状態となる。
【００３６】
つまり、可動筐体２３に装着されたケース１５を回転させることによって、可動体３を軸線方向へ移動させ、可動カム４先端を固定カム２の傾斜部２Ｂまたは２Ｃのいずれかへ弾接させて、固定筐体２２に対する可動筐体２３の開閉操作が行われるが、この時、ケース１５は平らで面積の大きな平坦部１５Ｂが、可動筐体２３の係止部２３Ｆに当接して回転する。
【００３７】
従って、可動筐体２３を所定角度に開いた状態で、機器を落としたり裏側から誤って押される等、さらに可動筐体２３を開く極端な力が加わった場合でも、ケース１５と可動筐体２３は平らで面積の大きな平坦部１５Ｂと係止部２３Ｆで当接しているため、破損等が生じづらく、確実に開閉操作が行えるように構成されている。
【００３８】
このように本実施の形態によれば、固定体１や可動体３等を収納した略円筒状のケース１５の外周に、複数の平坦部１５Ｂを設けることによって、平らで面積の大きな平坦部１５Ｂを可動筐体２３の取付孔２３Ｅ内周の係止部２３Ｆに当接させて、開閉装置を可動筐体２３に装着できるため、可動筐体２３を所定角度まで開いた後、さらに開く方向への力が加わった場合にも、構成部品の破損を防ぎ、簡易な構成で、確実な開閉操作が可能な開閉装置を得ることができるものである。
【００３９】
また、図３に示すように、多角形状の複数の平坦部１５Ｂをケース１５の外周より内側に形成することによって、可動筐体２３の取付部２３Ｃの径方向の肉厚を厚くすることができるため、可動筐体２３側の強度も大きくすることができる。
【産業上の利用可能性】
【００４０】
本発明による開閉装置は、簡易な構成で、開閉操作が確実なものを得ることができ、各種電子機器に使用される開閉装置として有用である。
【図面の簡単な説明】
【００４１】
【図１】本発明の一実施の形態による開閉装置の断面図
【図２】同分解斜視図
【図３】同部分断面図
【図４】携帯電話の斜視図
【図５】従来の開閉装置の断面図
【図６】同分解斜視図
【図７】同部分断面図
【符号の説明】
【００４２】
１  固定体
１Ａ  固定部
２  固定カム
２Ａ  突出部
２Ｂ，２Ｃ  傾斜部
３  可動体
３Ａ  ガイド突起
４  可動カム
６  ばね
７  固定軸
８  止め輪
１５  ケース
１５Ａ  切欠部
１５Ｂ  平坦部
２０  開閉装置
２２  固定筐体
２２Ａ  操作部
２２Ｂ  音声入力部
２３  可動筐体
２３Ａ  表示部
２３Ｂ  音声出力部
２３Ｃ  取付部
２３Ｅ  取付孔
２３Ｆ  係止部
【図１】
2006292062.tif 000003
【図２】
2006292062.tif 000004
【図３】
2006292062.tif 000005
【図４】
2006292062.tif 000006
【図５】
2006292062.tif 000007
【図６】
2006292062.tif 000008
【図７】
2006292062.tif 000009